(57)【特許請求の範囲】
【請求項１】
モデル画像データ、前記モデル画像データについての複数個の配色領域データ、及び前記各配色領域データの各代表色データを格納したモデル画像データベースと、
前記モデル画像データを表示するモデル画像表示部と、
前記各代表色データが貼り付けられた所定の色立体を表示する色立体表示部と、
前記各代表色データを変更させる指示をする指示部と、
前記変更指示に従って前記モデル画像表示部の表示を変更するとともに、前記色立体表示部の各代表色データの表示を変更させる制御部と、を備えたことを特徴とする配色シミュレーションシステム。
【請求項２】
前記指示部は、各代表色データの明度、彩度、色相の少なくとも一つに関連する変数を変更させる指示部であり、
前記制御部は、前記指示部からの変更指示に従って変更制御を行う、請求項１記載の配色シミュレーションシステム。
【請求項３】
複数の感性語と、前記感性語のそれぞれについて、前記配色領域の数だけ割り当てられている、感性語対応色データとを格納した感性語データベースと、
前記感性語と前記感性語対応色データとを表示する感性語表示部とを備え、
前記指示部は、この感性語表示部に対して、表示されている前記感性語の中から前記感性語を選択することによって、変更指示を行う、請求項２記載の配色シミュレーションシステム。
【請求項４】
前記感性語データベースには、それぞれの感性語に対応する感性語対応色データについて、面積値等の特性データを有しており、
その特性データをキーとして感性語をソートできる、請求項３記載の配色シミュレーションシステム。
【請求項５】
明度、彩度、色相の少なくとも一つを変更出来る変更部を備え、
前記指示部は、この変更部に対して、少なくとも一つを変更して、変更指示を行う、請求項２記載の配色シミュレーションシステム。
【請求項６】
前記変更部は、明度、彩度、色相の少なくとも一つの数値を直接入力出来る数値入力部、あるいは、明度、彩度、色相の少なくとも一つの数値を入力出来るカーソル部である、請求項５記載の配色シミュレーションシステム。
【請求項７】
前記指示部は、前記色立体表示部の各代表色データを直接変更するものであり、
前記制御部は、前記指示部からの指示に従って、前記色立体表示部の表示を変更するとともに、前記モデル画像表示部の表示を変更する、請求項２記載の配色シミュレーションシステム。
【請求項８】
少なくとも、前記指示部と、前記画像表示部と、前記色立体表示部とが、通信ネットワークを介して通信可能なユーザ端末側に設けられている、請求項１記載の配色シミュレーションシステム。
【請求項９】
モデル画像データ、前記モデル画像データについての複数個の配色領域データ、及び前記各配色領域データの各代表色データを格納したモデル画像データベースを用いて、配色シミュレーションを行う方法であって、
モデル画像表示部によって、モデル画像データを表示し、
色立体表示部によって、前記各代表色データが貼り付けられた所定の色立体を表示し、
指示部によって、前記各代表色データを変更させる指示を行い、
制御部によって、前記変更指示に従って前記モデル画像表示部の表示を変更するとともに、前記色立体表示部の各代表色データの表示を変更させる、配色シミュレーション方法。
【請求項１０】
請求項９記載の配色シミュレーション方法の、モデル画像表示部によって、モデル画像データを表示するステップと、色立体表示部によって、前記各代表色データが貼り付けられた所定の色立体を表示するステップと、指示部によって、前記各代表色データを変更させる指示を行うステップと、制御部によって、前記変更指示に従って前記モデル画像表示部の表示を変更するとともに、前記色立体表示部の各代表色データの表示を変更させるステップとをコンピュータに実行させるプログラム。
【請求項１１】
請求項１０記載のプログラムを記録した記録媒体であって、コンピュータにより処理可能な記録媒体。
【発明の詳細な説明】
【技術分野】
【０００１】
本発明は、コンピュータを利用して、ディスプレイ上の表示物である画像の配色を変更する技術に関係し、ユーザが直感的で詳細な配色設計を効率的に行うのに最適な配色シミュレーションシステムに関するものである。
【背景技術】
【０００２】
従来から、配色パターンは、様々な色彩学者による配色理論が提唱されており、それらにもとづいた配色例がある（非特許文献１）。
【０００３】
また、主要な形容詞のイメージと対応する配色パターンを調査して、心理軸を基に作った２次元のイメージマップにプロットする方法が提唱されている（非特許文献２）。
【０００４】
他方、近年、コンピュータを利用した配色設計に関する技術として、例えば、色コードと色感による言語と対応する画像変更技術（特許文献１）、配色に関する一般感情語句と対応させる技術がある（特許文献２）。また、感情語句ではなく、見本画像を用いて画像の印象によって配色を支援する技術がある（特許文献３）。
【先行技術文献】
【非特許文献】
【０００５】
【非特許文献１】清野恒介、島森功著、「配色事典」新紀元社、２００６
【非特許文献２】小林重信著、日本カラーデザイン研究所編集、「カラーイメージスケール」講談社、２００１
【特許文献】
【０００６】
【特許文献１】特開平９−１２８５２５
【特許文献２】特開平７−２８８７４
【特許文献３】特開２００２−３７３３４４
【発明の概要】
【発明が解決しようとする課題】
【０００７】
しかし、配色理論を具体的な生活シーンの中で適応させたり、応用したりするのは、カラーコーディネーター等の色彩知識やデザインに熟練した専門家ではないと困難であった。
【０００８】
なぜなら、色彩は、従来、色の３属性と言われる色相、彩度、明度による立体概念として表されるが、配色理論は色立体を前提としながらも、主に色相によるものと、彩度と明度の組み合わせであるトーン（色調）によるものに大別され、それらのパターンを直感的に把握することは非常に難しいからであるからである。
【０００９】
特に、トーンは、明度と彩度という２つの属性を組み合わせた２次元表示にしていることが多いが、色立体にトーンを表した場合リング状になり、トーン名称からそれらの特徴や形態を想像するのは難しい。
【００１０】
トーンは、ＪＩＳ規格（物体色の色名  ＪＩＳ  Ｚ  ８１０２）では、「有彩色の明度及び彩度に関する修飾語を付けた色の範囲」ということになっており、対応する感情語句は、「あざやかな」「明るい」「つよい」「こい」「うすい」「やわらかい」「くすんだ」「暗い」「ごくうすい」「明るい灰みの」「灰みの」「暗い灰みの」「ごく薄い」の１３種類ある。それらは色相別に色空間領域が設定されているものの、立体的には表現されていない。
【００１１】
また、トーンを含めた様々な配色理論も、２次元表示を前提としているため、単純化されたルールになっており、３次元上の複雑な配色パターンを作ることが困難である。例えば、トライアド（正三角形）、スプリットコンプリメンタリー（二等辺三角形）、ダイアード（正四角形）など、色相環上に幾何学形態を作る配色ルールがあるが、色相別に調和感覚が異なるためすべての組み合わせについて調和性が高いわけはないし、それらをそのまま適用すると、今日のようなカラーバリエーションが多い時代では差別化できないという問題点があった。
【００１２】
また、配色パターンとして提唱されている配色を、様々な分野に適応させようとする場合に、分野によって存在する色バリエーションなどの制限があるので、微調整をする必要性がある。例えば、３色配色中の１色を変えるだけで、全体的な印象が損なわれるということもあるため、３色のバランスを見ながら調整しなければならないが、そのような微調整がしにくいという問題点があった。
【００１３】
また、上記した非特許文献２による形容詞と配色パターンでは、感性語に対応した３色配色が開示しされているが、独自の心理的な２属性による平面図にプロットしているため、配色パターンの色立体での分布傾向がわかりにくいという問題点があった。
【００１４】
また、上記提案されている特許は、それぞれ色感や感情語句と色立体、画像と色立体の関連性がないため、配色パターンの色立体における分布の類似性を確認したり、微細な配色の調整を行ったりすることができないという問題点があった。
【００１５】
本発明は、上述した従来技術の課題を考慮し、配色知識のないユーザでも、直感的で詳細な配色設計を効率的に行うことが出来、簡便でインタラクティブにシミュレーションすることが可能になることにより、大幅に配色選択の手間を削減出来る、配色シミュレーションシステムを提供することを目的とする。
【課題を解決するための手段】
【００１６】
第１の本発明は、
モデル画像データ、前記モデル画像データについての複数個の配色領域データ、及び前記各配色領域データの各代表色データを格納したモデル画像データベースと、
前記モデル画像データを表示するモデル画像表示部と、
前記各代表色データが貼り付けられた所定の色立体を表示する色立体表示部と、
前記各代表色データを変更させる指示をする指示部と、
前記変更指示に従って前記モデル画像表示部の表示を変更するとともに、前記色立体表示部の各代表色データの表示を変更させる制御部と、を備えたことを特徴とする配色シミュレーションシステムである。
【００１７】
第２の本発明は、
前記指示部は、各代表色データの明度、彩度、色相の少なくとも一つに関連する変数を変更させる指示部であり、
前記制御部は、前記指示部からの変更指示に従って変更制御を行う、第１の本発明の配色シミュレーションシステムである。
【００１８】
第３の本発明は、
複数の感性語と、前記感性語のそれぞれについて、前記配色領域の数だけ割り当てられている、感性語対応色データとを格納した感性語データベースと、
前記感性語と前記感性語対応色データとを表示する感性語表示部とを備え、
前記指示部は、この感性語表示部に対して、表示されている前記感性語の中から前記感性語を選択することによって、変更指示を行う、第２の本発明の配色シミュレーションシステムである。
【００１９】
第４の本発明は、
前記感性語データベースには、それぞれの感性語に対応する感性語対応色データについて、面積値等の特性データを有しており、
その特性データをキーとして感性語をソートできる、第３の本発明の配色シミュレーションシステムである。
【００２０】
第５の本発明は、
明度、彩度、色相の少なくとも一つを変更出来る変更部を備え、
前記指示部は、この変更部に対して、少なくとも一つを変更して、変更指示を行う、第２の本発明の配色シミュレーションシステムである。
【００２１】
第６の本発明は、
前記変更部は、明度、彩度、色相の少なくとも一つの数値を直接入力出来る数値入力部、あるいは、明度、彩度、色相の少なくとも一つの数値を入力出来るカーソル部である、第５の本発明の配色シミュレーションシステムである。
【００２２】
第７の本発明は、
前記指示部は、前記色立体表示部の各代表色データを直接変更するものであり、
前記制御部は、前記指示部からの指示に従って、前記色立体表示部の表示を変更するとともに、前記モデル画像表示部の表示を変更する、第２の本発明の配色シミュレーションシステムである。
【００２３】
第８の本発明は、
少なくとも、前記指示部と、前記画像表示部と、前記色立体表示部とが、通信ネットワークを介して通信可能なユーザ端末側に設けられている、第１の本発明の配色シミュレーションシステムである。
【００２４】
第９の本発明は、
モデル画像データ、前記モデル画像データについての複数個の配色領域データ、及び前記各配色領域データの各代表色データを格納したモデル画像データベースを用いて、配色シミュレーションを行う方法であって、
モデル画像表示部によって、モデル画像データを表示し、
色立体表示部によって、前記各代表色データが貼り付けられた所定の色立体を表示し、
指示部によって、前記各代表色データを変更させる指示を行い、
制御部によって、前記変更指示に従って前記モデル画像表示部の表示を変更するとともに、前記色立体表示部の各代表色データの表示を変更させる、配色シミュレーション方法である。
【００２５】
第１０の本発明は、
第９の本発明の配色シミュレーション方法の、モデル画像表示部によって、モデル画像データを表示するステップと、色立体表示部によって、前記各代表色データが貼り付けられた所定の色立体を表示するステップと、指示部によって、前記各代表色データを変更させる指示を行うステップと、制御部によって、前記変更指示に従って前記モデル画像表示部の表示を変更するとともに、前記色立体表示部の各代表色データの表示を変更させるステップとをコンピュータに実行させるプログラムである。
【００２６】
第１１の本発明は、
第１０の本発明のプログラムを記録した記録媒体であって、コンピュータにより処理可能な記録媒体である。
【発明の効果】
【００２７】
本発明によれば、配色知識のないユーザでも、直感的で詳細な配色設計を効率的に行うことが出来、簡便でインタラクティブにシミュレーションすることが可能になることにより、大幅に配色選択の手間を削減出来る。
【００２８】
例えば、ファッション、グラフィック、プロダクト、景観などの配色設計においてデザイナーが画像の中の配色を変更するにあたり、色立体上の感性語と対応した配色パターンを変更することで、クライアントの要望に応じた詳細な配色設計を行うと同時に、感性語の選択により配色知識のないユーザでも、簡便でインタラクティブにシミュレーションすることが可能になることにより、大幅に配色選択の手間を削減することが出来る。
【００２９】
さらに、例えば、ファッションやインテリア等の色が重要な要素を占める商品をメーカーが開発したり、ユーザが選択したりする場面において、配色の組み合わせが、色立体上の分布で確認できることで、配色傾向が明確になると同時に、それらの分布を１色または複数色を同時に変化させることで、選択したモデル画像を変更できることにより、微妙な配色調整ができる。例えば、基本的な配色の印象は良いと判断しているが、配色の印象が変わらないままで少し明るめにしたり、鮮やかめにしたり、躍動的にしたりすることは、色の数値を変えるという操作ではその度合いの調整や判断が難しいが、色立体の配色分布を、色相を回転させたり、明度を上下させたり、彩度を拡大縮小したり、配色が作る面積を拡大縮小したりするレンジバーを操作することでそれが容易になる、
また、例えば、配色パターンとあらかじめ感性語を対応させることにより、直感的なイメージから配色パターンを選択し、モデル画像を変更できると同時に、感性語の配色傾向を色立体から確認することが可能になる。それによって、新たな感性語に対応した配色パターンを作ることも容易になるという効果が得られる。また、例えば、感性語と配色パターンの一覧を見ることで、どのような感性語がどのような配色パターンと対応しているかが、直感的に理解でき、それらを選択することで、モデル画像をリアルタイムに変更させることができ、変更されたモデル画像の印象と感性語を確認することができるという効果が得られる。
【００３０】
また、例えば、感性語と配色パターンの一覧は、膨大なパターン数になったときに一度に確認することができないが、配色幾何学から得られる様々な数値から、配色パターンを並び替えることによって似た感性傾向のもの順番に見ることができる。例えば、色立体の中で、３色配色の３点を結ぶことによってできる三角形の面積は、サイズが大きい程、活動的な印象を与えるという感性傾向が見られるため、並び替え条件である「面積の大きい順」に並び替えることで、感性語で言えば、「活気のある」配色パターンや「アクティブな」配色パターン、「活動的な」配色パターンを、順番に見ることができる。それよって、配色パターン選択の効率を向上させることができるという効果が得られる。
【図面の簡単な説明】
【００３１】
【図１】本発明の一実施の形態に係る配色シミュレーションシステム図
【図２】本発明の一実施の形態に係る配色シミュレーションシステムの装置図
【図３】本発明の一実施の形態における配色シミュレーションシステムのモデル画像データベース作成フローチャート
【図４】本発明の一実施の形態における配色シミュレーションシステムのモデル画像の配色領域の配色変更フローチャート
【図５】本発明の一実施の形態における配色シミュレーションシステムのユーザインタフェースの一例を示す図
【図６】本発明の一実施の形態における、色立体上に表示する配色幾何学の変更例
【図７】本発明の一実施の形態における、配色パターン一覧の並び替え一例
【図８】本発明の一実施の形態における、色立体配色幾何学が複数の場合の一例
【図９】本発明の一実施の形態における、配色パターンデータベースの構造例
【発明を実施するための形態】
【００３２】
以下に、本発明の実施の形態について図面を参照して説明する。
【００３３】
図１は、本実施の形態にかかる配色シミュレーションシステムの全体図である。
【００３４】
配色シミュレーションシステム１０は、色を特徴とする商品画像の配色領域を設定し、その配色領域の配色パターンを画面上で変更することで、例えば感性語に対応した商品のカラーバリエーションを容易に選択できる配色シミュレーションシステムである。
【００３５】
ここで配色シミュレーションシステム１０は、配色シミュレーション装置１１、通信ネットワーク１２、およびユーザ端末１６（複数可能）等を含む。
【００３６】
配色シミュレーション装置１１は、商品のモデル画像データや、配色パターンの並び替えや検索に必要な文字情報などの入出力手段を備えたコンピュータ機器である。たとえば、キーボード、マウス、ＵＳＢメモリ、デジタルカメラ、スキャナー、モニター、テレビ、プリンターなどの装置に接続可能なインターフェースを持つコンピュータ機器を、配色シミュレーション装置１１として使用することが可能である。
【００３７】
この配色シミュレーション装置１１は、第１のデータベースとしてモデル画像データベース１３、第２のデータベースとして配色パターンデータベース１４、第３のデータベースとして色情報データベース１５という三つのデータベースを備えているが、別々のコンピュータに分散させてもよい。その場合、配色シミュレーション装置１１は、別々のコンピュータに備えられているデータベースを連結して処理する手段を備える。
【００３８】
また、図示していないが、配色シミュレーション装置１１には通信ネットワークとの接続を可能にする通信制御装置が含まれている。
【００３９】
モデル画像データベース１３は、モデル画像データや配色領域を検索して色立体に表示するための、膨大な画像データを蓄積している。
【００４０】
配色パターンデータベース１４は、配色パターン一覧を構成する色情報を蓄積する。たとえば、感性語名称と、感性語名称に対応した配色パターンを構成する色値、色値を色立体にプロットした場合に占める面積、などの情報を含む。
【００４１】
色情報データベース１５は、画像データを検索して色立体に表示するための、色立体を構成するさまざまな色情報が蓄積される。すなわち、マンセル表色系、Ｌ＊Ａ＊Ｂ＊表色系、ＲＧＢ色空間、ＨＳＶ色空間、ＨＬＳ色空間等の色立体を表示するために必要な色値、色差等の色情報である。
【００４２】
通信ネットワーク１２は、配色シミュレーション装置１１（モデル画像データベース１３、配色パターンデータベース１４、色情報データベース１５）と、ユーザ端末１６とを相互に接続可能なコンピュータネットワークである。通信ネットワーク１２はローカルエリアネットワークでもよく、インターネット等広域ネットワークでもよい。
【００４３】
ユーザ端末１６はたとえば、通信ネットワーク１２に接続可能なネットワークインターフェースを備えた末端装置である。任意であり、一つでも複数でも構わない。ユーザ端末１６は、通信ネットワーク１２を介して配色シミュレーション装置１１の備える第１から第３のデータベースにアクセスして、配色シミュレーション装置１１が備えるモデル画像データの配色領域を検索して、配色幾何学を色立体に表示する手段の結果を取得して閲覧することが可能である。
【００４４】
図２は、本実施の形態における配色シミュレーションシステム１００を単体のコンピュータで実現した場合の装置図である。
【００４５】
この配色シミュレーションシステム１００は、入力手段として入力装置１０１、表示手段として出力装置１０２、ＣＰＵ１０３、及び主記憶部１０４、バス１０５を備える。
【００４６】
また、配色シミュレーションシステム１００は、検索キー入力制御部１０６、並べ替えキー入力制御部１０７、画像情報入力制御部１０８、配色情報入力制御部１０９、色情報入力制御部１１０、画像データ出力制御部１１１、色立体出力制御部１１２、配色パターン出力制御部１１３等の制御部を備える。
【００４７】
また、配色シミュレーションシステム１００は、モデル画像データベース１１４、配色パターンデータベース１１５、色情報データベース１１６が接続される。図９は、配色パターンデータベース１１５の構造例である。
【００４８】
また、配色シミュレーションシステム１００には、配色領域蓄積演算部１１７、色値変更演算部１１８、配色変更演算部１１９、配色幾何学変更演算部１２０、配色パターン並び替え演算部１２１、画像色解析演算部１２２等の演算部を備える。
【００４９】
図５は、本実施の形態におけるユーザインターフェース３００の一例である。上述した入力手段として入力装置１０１、表示手段として出力装置１０２を兼ねている。３０１，３０２，３０３はモデル画像の３つの配色領域を表示する部分であり、３０４はモデル画像を表示する部分であり、３０５は１０００語程度の感性語を利用する場合のそれぞれの感性語の３つの配色パターンを示す部分であり、３０６は色相、明度、彩度、面積の変更を増減キーで指示する指示部であり、３０７はＲＧＢ色空間、ＨＳV色空間、マンセル表色系における、具体的な数値を入力する部分である。３０８はマンセル表色系の色立体を表示する部分である。
【００５０】
このように、ユーザインターフェース３００は、モデル画像と、モデル画像の配色領域をそれぞれ表示し、配色パターン一覧と、配色幾何学を表示した色立体とを表示する領域を持つ。また、色立体上の配色幾何学を移動するために設定する配色移動要素である色相回転、明度上下、彩度大小、面積大小、を調節するコントロールを配置している。
【００５１】
また、ＲＧＢ、ＨSV、マンセルなど色立体の種類を変更する設定コントロールも配置されている。
【００５２】
次に、本実施の形態の動作の概要を説明する。
【００５３】
図３は、本実施の形態における、モデル画像データベースの作成フローチャートである。
【００５４】
画像入力処理（Ｓ１０１）は、入力装置１０１から出力される信号、すなわちデジタル画像を画像情報入力制御部１０８がモデル画像データベース１１４に蓄積することで行われる。デジタルカメラの撮像データでも、図形描画ソフトによる画像データでもかまわない。
【００５５】
配色領域Ｐの選択処理（Ｓ１０２）は、入力された画像データの配色領域を選択する。Ｐは１から配色領域の最大値までの値を取り、本実施の形態では三色で一つの配色パターンを構成するため、配色領域の最大値は３を設定している。
【００５６】
配色領域Ｐの代表色の算出処理（Ｓ１０３）は、選択した配色領域の色情報をすべて読み込み、画像色解析演算部１２２が代表色を解析することで、代表色のデータを取得するものである。  
【００５７】
代表色抽出するにあたっては、画像色解析演算部１２２において、色差によって選択された配色領域の全画素のＲＧＢ値をＲ、Ｇ、Ｂ別に全画素の母数で割って平均化して抽出する手法などが用いられる。
【００５８】
平均色抽出するにあたっては、画像色解析演算部１２２において、画像に含まれている全画素のＲＧＢ値をＲ、Ｇ、Ｂ別に全画素の母数で割って平均化して抽出する手法などが用いられる。
【００５９】
Ｐをインクリメントする処理（Ｓ１０４）によって、Ｐの値を一つ加算する。
【００６０】
Ｐが配色領域の最大値より小さいか否かを判断し（Ｓ１０５）、小さい場合は再び、配色領域Ｐの選択処理（Ｓ１０２）から繰り返す。
【００６１】
Ｐが配色領域の最大値より大きい場合は、モデル画像データと配色領域と各配色領域の代表色を、モデル画像データベースへ蓄積する（Ｓ１０６）。本実施の形態では配色領域の数は３つであるのでＰが４になった時点でデータを蓄積することになる。
【００６２】
図４は本実施の形態におけるモデル画像の配色領域の変更フローチャートである。
【００６３】
ユーザは入力装置１０１から、一応の一つの感性語を入力し（Ｓ２００）、入力した感性語に対応する色値を配色パターンデータベース１１５から取得し（Ｓ２０１）、取得した色値に近い順に配色パターンデータベース１１５を、色値を基準に並び替える（Ｓ２０２）。
【００６４】
その近い順の判定基準としては、例えば、入力装置１０１から配色幾何学の面積（後述する色立体上における３つの代表色で出来る三角形の面積）を昇順で並び替えるか降順で並び替えるかを入力し（Ｓ２０３）、入力した順になるように配色パターンデータベース１１５を、配色幾何学の面積を基準に並び替える（Ｓ２０４）。
【００６５】
並び替えた配色パターンデータベース１１５の一覧から、ユーザはより望ましそうな別の配色パターンを選択し（Ｓ２０５）、選択した配色パターンの色値を配色バターンデータベース１１５から取得する（Ｓ２０６）。
【００６６】
あるいはまた、全く別のやり方として、ユーザは、入力装置１０１から、より望ましそうな、色相の変更値を入力し（Ｓ２０７）、明度の変更値を入力し（♯２０８）、彩度の変更値を入力出来るようにしてあってもよい（Ｓ２０９）。
【００６７】
このようにして望ましと思われる変更指示をすると、色立体における配色幾何学を移動する処理（Ｓ２１０）では、感性語を利用する変更方法では、（Ｓ２００）から（Ｓ２０６）の処理によって取得した配色パターンの色値に従って、色立体上に表示している配色幾何学の頂点を移動する。あるいは、色相、明度、彩度の変更値で変更する場合は、（Ｓ２０７）から（Ｓ２０９）の処理によって取得した変更後の色相、明度、彩度の値によって、色立体上に表示している配色幾何学の頂点を移動する。
【００６８】
また、モデル画像の配色領域の配色を変更する処理（Ｓ２１１）は、色立体上の配色幾何学の移動が完了したあと、新たに形成された配色幾何学に対応した配色パターンで、モデル画像の配色領域の配色を変更して表示する。
【００６９】
図６は、色立体上に表示される配色幾何学の変更例である。
【００７０】
マンセル表色系の色立体の一例であるため、任意の配色の色相の値を変化させることは、任意の配色の座標を色立体上で底面に対して水平に回転移動することと等しい。明度の値を変化させることは、任意の配色の座標を色立体上で上下に平行移動することと等しい。彩度の値を変化させることは、任意の配色の面積を形状は保ったまま色立体上で拡大縮小することと等しい。図６（ａ）から（ｂ）の変更は、明度と彩度はそのままで、色相を変化させた場合の一例である。３つの代表色が形成する三角形が回転している様子を示している。
【００７１】
次に、本発明の実施の形態をより具体的に説明する。
【００７２】
予めモデル画像について準備を行う。
【００７３】
配色シミュレーションシステムの入力装置１０１に、モデル画像を撮像したデジタルカメラを直接接続する。あるいはデジタルカメラから抜いたＳＤカードの接続でもよい。対象となる配色領域は、モノクロの文書や図案のようなものでも良いし、写真やイラストなど、画像の中に色がすでに含まれているものでも良い。本実施の形態では、薄いピンクのワイシャツに、焦げ茶のスラックスを身につけ、黒い革靴を履いている男性の写真を画像情報入力制御部１０８で読み込んだ。
【００７４】
次に色値変更演算部１１８を起動する。
【００７５】
配色領域の選択は、マウスでモデル画像の任意の一点をクリックする。クリックされたピクセルの色値をコンピュータが読み取り、抽出した色値と同色の範囲を色差のレベル調によって判断し、一つの配色領域として認識する。配色領域は配色パターンを構成する数だけ選択するが、ここでは配色パターンは三色から構成されるので、配色領域１から３まで選択する。
【００７６】
まず配色領域１としてスラックスの部分を選択した。焦げ茶色はスラックスしかないように考慮して撮影した写真のため、一回のマウスクリックでスラックス全体を選択することができた。その結果は配色領域１の表示部分３０１に表示される。同時に、モデル画像のスラックスの部分の色が１点のピクセルの色値で表示される。
【００７７】
次に配色領域２としてワイシャツの部分を選択した。一部、影になった部分が選択されなかったので、同色の範囲をＬ:*a*b*表色系に基づく色差のレベルを△Ｅ０．５から△Ｅ０．５５に変更する。その結果、少し色が濃いピンクになっていた影の部分をワイシャツと同じ薄いピンクと同色としてコンピュータが認識し、選択している部分を配色領域２に設定した。なお、さらにカーソルを用いて領域を拡大、縮小なども可能である。その結果は配色領域２の表示部分３０２に表示される。同時に、モデル画像のスラックスの部分の色も１点のピクセルの色値で表示される。
【００７８】
次に配色領域３として革靴の部分を同様に選択した。その結果は配色領域３の表示部分３０３に表示される。同時に、モデル画像のスラックスの部分の色も１点のピクセルの色値で表示される。
【００７９】
これらの配色領域の特定の仕方は公知の技術を用いることが出来る。
【００８０】
次に、各配色領域１，２，３から各々の代表色を算出する。
【００８１】
代表色抽出するにあたっては、画像色解析演算部１２２において、色差によって選択された各配色領域の全画素のＲＧＢ値をＲ、Ｇ、Ｂ別に全画素の母数で割って平均化して抽出する手法などが用いられる。
【００８２】
このように、人間の感覚で感じる代表色と自動抽出した代表色の印象が変わらないように誤差を調整する。なお、他の代表色の算出の方法でもかまわない。
【００８３】
次に、算出した配色領域１から３の各々の代表色を色立体に次にように表示する。
【００８４】
色立体そのものは、色値変更演算部１１８が画面上に選択されているマンセル表色系、Ｌ*a*b*表色系、ＲＧＢ色空間、ＨＳＶ色空間、ＨＬＳ色空間のいずれかに応じた色値を色情報データベース１１６から読み込んで、色立体出力制御部１１２が画面の色立体表示部分３０８に表示する。色値変更演算部１１８が配色領域１から３の各々の代表色を選択している表色系に対応する色値に変換する。配色パターン出力制御部１１３が各配色領域の代表色を変換された色値で色立体上に表示する。
【００８５】
配色領域蓄積演算部１１７が、算出した配色領域１から３の各々の代表色と、配色領域１から３と、モデル画像とをひも付けしてモデル画像データベースに蓄積する。
【００８６】
次にこのようにして準備されたモデル画像データの配色領域の配色パターンを変更することにする。
【００８７】
まず、配色パターン一覧の表示部分３０５から変更したい配色パターンを選択する。この配色パターン一覧には、１０００語程度の感性語が縦に配列され、それぞれの感性語に対応する３色の色が横に対応して配列されており、さらにソートすることでその縦配列の順番が入れ替わり可能となっている。
【００８８】
今、配色パターン一覧の中から、「味わい深い」を選択するとする。この「味わい深い」という感性語は、代表色１（Ｒ２３３、Ｇ２２８、Ｂ２２８）、代表色２（Ｒ７３、Ｇ４４、Ｂ４０）、代表色３（Ｒ２０８０、Ｇ１０６、Ｂ５７）で構成されている。図９は、配色パターンデータベースの構造例であって、この表の左端の代表色１が配色領域１に適用され、中央の代表色２が配色領域２に適用され、右端の代表色３が配色領域３に適用されるようになっている。なお、この適用関係を入れ換えるための操作部（図示省略）をユーザインターフェース３００に持たせておいて、変更出来るようにしてもよい。
【００８９】
従って、「味わい深い」を選択すると、左端の茶色がモデル画像の配色領域１に選択されているスラックスの色となる。同様に、中央の白色がワイシャツの色となり、焦げ茶が革靴の色となる。画面上の左縦に三つ並んでいる配色領域１から３の配色部分３０１，３０２，３０３が、「味わい深い」配色パターンで表示変更される。同時に、モデル画像の表示部分３０４も対応して色が変更される。さらに、色立体の表示部３０８での３つの代表色の三角形も対応して移動する。
【００９０】
なお、さらに、「味わい深い」という感性語よりも少しだけ異なる感性語に変更したい場合、まず、配色パターン一覧の表示部分３０５においてソートを行っておく。すなわち、もともと３色の代表色のデータに関しては、面積や角度、明度差、彩度差、色相差、平均色相、平均明度、平均彩度、最大内角差、最小内角差など配色幾何学から算出される各特性数値が演算出来ている。そこで、いずれかの特性数値を並び変えキーとして、降順、昇順などソートを行い、配色パターン一覧の並び替えを行っておく。これは配色パターン並び替え演算部１２１で行われる。例えば、面積とは図６に示すような３色で出来る三角形の面積である。
【００９１】
このように予め並べ替えておけば、「味わい深い」に近い感性語が、１０００語など多くの感性語があっても簡単に見つけることが出来る。図７は、面積が大きい順に配色パターンの一覧を並び替えた結果の一例である。
【００９２】
さらに説明すると、例えば、配色パターン一覧から配色パターンを選択するにあたって、「ういういしい」に似た感じの配色を並べて比較して選択するために、「ういういしい」で昇順に配色パターン一覧を並び替えることにする。
【００９３】
「ういういしい」の配色パターンは、配色パターンデータベースから、
面積  ６２８９．４０
色差  ２．８３
平均明度  ５．６２
平均彩度  ２．７９
などの情報が得られる。
【００９４】
これらの数値は、マンセル値、ＲＧＢ値、ＨＳＶ値、Ｌ*a*b*値等のいずれかの色値で配色パターンデータベースに保持している色値を色立体の種類によって変換を行い、算出することができる。
【００９５】
平均明度の高さは軽重感、平均彩度の高さは派手地味感、明度差の大きさは硬軟感、３色配色が作る三角形の面積が大きさは、活動感などに対応するなど、色立体における幾何学的特性と明確な相関関係にある。配色パターン並び替え演算部は、配色同士の相関関係を解析して、「ういういしい」という感性語で配色パターンを並び替える。
【００９６】
次に、感性語を用いずに、色立体を使って配色パターンを変更する方法を説明する。すなわち、画面上の色相、明度、彩度の値を、配色移動の部分３０５のボタンをクリックして加減する。
【００９７】
今「味わい深い」の配色パターンで表示されているとして、そのマンセル色立体における座標は次のとおりである。
１．  配色領域１の代表色の色座標
Ｈ＝４．７ＧＹ  
Ｖ＝９．１
Ｃ＝０．６
２．  配色領域２の代表色の色座標
Ｈ＝２．４ＹＲ
Ｖ＝２
Ｃ＝３．１
３．  配色領域３の代表色の色座標
Ｈ＝２．５ＹＲ
Ｖ＝５．５
Ｃ＝１０．６
上記の配色を色相、明度、彩度の値を配色移動の部分３０６を直接変更して、「ういういしい」の配色パターンに近づけたいとする。
【００９８】
すなわち、「ういういしい」の配色パターンのマンセル色立体における座標
１．  配色領域１の代表色の色座標
Ｈ＝９．６ＧＹ  
Ｖ＝６．２
Ｃ＝７．４
２．  配色領域２の代表色の色座標
Ｈ＝４．７ＧＹ
Ｖ＝９．１
Ｃ＝０．６
３．  配色領域３の代表色の色座標
Ｈ＝４．６ＲＰ
Ｖ＝１．６
Ｃ＝０．３
であるから、そのような数値にＨＶＣがなるように変更した。
【００９９】
色立体上の配色幾何学を変更が完了すると、画面上の左縦に三つ並んでいる配色領域１から３の配色が、色立体上で変更した配色幾何学に対応する配色パターンで表示変更される。
【０１００】
また、モデル画像の表示領域の３０４の表示も変更される。
【０１０１】
なお、図８は、感性語を複数種類選ぶと、色立体上に表示する配色幾何学が複数現れる場合の一例を示す。
【０１０２】
なお、本発明のプログラムは、上述した本発明の配色シミュレーション方法の各ステップの動作をコンピュータにより実行させるプログラムであって、コンピュータと協働して動作するプログラムである。
【０１０３】
また、本発明の記録媒体は、上述した本発明の画像検索色立体表示方法の各ステップの全部又は一部の動作をコンピュータにより実行させるプログラムを記録した記録媒体であり、コンピュータにより読み取り可能且つ、読み取られた前記プログラムが前記コンピュータと協動して前記動作を実行する記録媒体である。
【０１０４】
また、本発明のプログラムの一利用形態は、コンピュータにより読み取り可能な、ＲＯＭ等の記録媒体に記録され、コンピュータと協働して動作する態様であっても良い。
【０１０５】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【０１０６】
また、上述した本発明のコンピュータは、ＣＰＵ等の純然たるハードウェアに限らず、ファームウェアや、ＯＳ、更に周辺機器を含むものであっても良い。
【０１０７】
なお、以上説明した様に、本発明の構成は、ソフトウェア的に実現しても良いし、ハードウェア的に実現しても良い。
【産業上の利用可能性】
【０１０８】
本発明は、配色知識のないユーザでも、直感的で詳細な配色設計を効率的に行うことが出来、簡便でインタラクティブにシミュレーションすることが可能になることにより、大幅に配色選択の手間を削減出来るので、ファッションやインテリア等の色が重要な要素を占める商品をメーカーが開発したり、ユーザが選択したりする場面において有効である。
【符号の説明】
【０１０９】
１０  配色シミュレーションシステム
１１  配色シミュレーション装置
１２  通信ネットワーク
１３  モデル画像データベース
１４  配色パターンデータベース
１５  色情報データベース
１６  ユーザ端末
１００  配色シミュレーションシステム
１０１  入力装置
１０２  出力装置
ＣＰＵ  １０３
１０４  主記憶部
１０５  バス
１０６  検索キー入力制御部
１０７  並べ替えキー入力制御部
１０８  画像情報入力制御部
１０９  配色情報入力制御部
１１０  色情報入力制御部
１１１  画像データ出力制御部
１１２  色立体出力制御部
１１３  配色パターン出力制御部
【図１】
0005511509.tif 000002
【図２】
0005511509.tif 000003
【図３】
0005511509.tif 000004
【図４】
0005511509.tif 000005
【図９】
0005511509.tif 000006
【図５】
0005511509.tif 000007
【図６】
0005511509.tif 000008
【図７】
0005511509.tif 000009
【図８】
0005511509.tif 000010